(57)【要約】【課題】消費者から位置情報を広くかつ容易に集める。【解決手段】携帯端末２１（２２，２３，…，２ｒ）は、位置情報を情報管理センタ４へ送信する。情報管理センタ４は、受け取った位置情報を蓄積し、位置情報の送信頻度に基づいて、ユーザＡ１（Ａ２，Ａ３，…，Ａｒ）の保有ポイント数を増加させ、保有ポイント数に対応し、ユーザＡ１（Ａ２，Ａ３，…，Ａｒ）の条件に適合した商品の情報を提示する。携帯端末２１（２２，２３，…，２ｒ）から商品選択情報を受信すると、情報管理センタ４は、ユーザＡ１（Ａ２，Ａ３，…，Ａｒ）の保有ポイント数等を勘案して、要求された商品の授与を決定し、蓄積された位置情報及び対応する時間情報と、ユーザＡ１，Ａ２，…，Ａｒの個人情報とに基づいて、所定の統計処理を行い、市場調査等に役立てるための動態情報を生成する。【選択図】図１
2005070920.tif 000002
【特許請求の範囲】
【請求項１】
複数の消費者が用いる複数の移動端末と、前記複数の消費者の動態情報を収集する動態情報収集者が用いる情報処理装置とがネットワークを介して接続されて構成された消費者動態情報収集システムであって、
前記移動端末は、ＧＰＳ衛星からの無線信号を受信するためのＧＰＳ信号受信手段と、前記無線信号に基づいて、前記移動端末の位置情報を取得する位置情報取得手段と、前記位置情報を前記ネットワークを介して前記情報処理装置に送信する位置情報送信手段とを有してなり、
前記情報処理装置は、前記ネットワークを介して前記各移動端末から送信されてきた前記位置情報を取得し、消費者の動態情報を取得する動態情報取得手段と、前記位置情報の提供に対する報奨を前記消費者に与えるために用いる報奨授与処理手段とを有してなる
ことを特徴とする消費者動態情報収集システム。
【請求項２】
前記動態情報取得手段によって取得された前記動態情報は、所定の対価と引替えに情報受給者に提供されることを特徴とする請求項１記載の消費者動態情報収集システム。
【請求項３】
前記報奨授与処理手段は、前記各移動端末から送信されてきた前記位置情報の前記動態情報の収集に対する寄与度に応じて前記報奨の内容を提示することを特徴とする請求項１又は２記載の消費者動態情報収集システム。
【請求項４】
前記報奨授与処理手段は、前記寄与度に応じて、所定の商品又はサービスの対価の一部又は全部に充当可能なサービスポイントを前記報奨として発行することを特徴とする請求項１、２又は３記載の消費者動態情報収集システム。
【請求項５】
前記報奨授与処理手段は、前記移動端末からの前記位置情報の受信頻度に応じて、提示する前記報奨の内容を決定することを特徴とする請求項３又は４記載の消費者動態情報収集システム。
【請求項６】
前記動態情報取得手段は、前記位置情報と、対応する時間情報と、対応する前記消費者の個人情報とに基づいて、前記動態情報を生成することを特徴とする請求項１乃至５のいずれか１に記載の消費者動態情報収集システム。
【請求項７】
前記移動端末は、前記位置情報と共に、少なくとも前記消費者の消費行動に関する付加情報を、前記動態情報取得手段へ送信することを特徴とする請求項１乃至６のいずれか１に記載の消費者動態情報収集システム。
【請求項８】
前記動態情報取得手段は、多数の前記消費者の蓄積された前記位置情報に基づいて、集計処理を含む所定の統計処理を行って、前記動態情報を生成することを特徴とする請求項１乃至７のいずれか１に記載の消費者動態情報収集システム。
【請求項９】
前記報奨授与処理手段は、前記移動端末が所定の区域内に位置している場合に、前記報奨としてのサービス情報を前記移動端末に供給することを特徴とする請求項１乃至８のいずれか１に記載の消費者動態情報収集システム。
【請求項１０】
前記報奨授与処理手段は、サービス情報提供者から提供された前記サービス情報及び前記サービス情報提供者の広告情報を、所定の対価と引替えに、前記移動端末に供給することを特徴とする請求項９記載の消費者動態情報収集システム。
【請求項１１】
複数の消費者が用いる複数の移動端末と、前記複数の消費者の動態情報を収集する動態情報収集者が用いる情報処理装置とがネットワークを介して接続され、
前記移動端末は、ＧＰＳ衛星からの無線信号を受信するためのＧＰＳ信号受信処理と、前記無線信号に基づいて、前記移動端末の位置情報を取得する位置情報取得処理と、前記位置情報を前記ネットワークを介して前記情報処理装置に送信する位置情報送信処理とを実行し、
前記情報処理装置は、前記ネットワークを介して前記各移動端末から送信されてきた前記位置情報を取得し、消費者の動態情報を取得する動態情報取得処理と、前記位置情報の提供に対する報奨を前記消費者に与えるために用いる報奨授与処理とを実行する
ことを特徴とする消費者動態情報収集方法。
【請求項１２】
前記動態情報取得処理によって取得された前記動態情報は、所定の対価と引替えに情報受給者に提供されることを特徴とする請求項１１記載の消費者動態情報収集方法。
【請求項１３】
前記情報処理装置は、前記報奨授与処理によって、前記各移動端末から送信されてきた前記位置情報の前記動態情報の収集に対する寄与度に応じて前記報奨の内容を提示することを特徴とする請求項１１又は１２記載の消費者動態情報収集方法。
【請求項１４】
前記情報処理装置は、前記報奨授与処理によって、前記寄与度に応じて、所定の商品又はサービスの対価の一部又は全部に充当可能なサービスポイントを前記報奨として発行することを特徴とする請求項１１、１２又は１３記載の消費者動態情報収集方法。
【請求項１５】
前記情報処理装置は、前記報奨授与処理によって、前記移動端末からの前記位置情報の受信頻度に応じて、提示する前記報奨の内容を決定することを特徴とする請求項１３又は１４記載の消費者動態情報収集方法。
【請求項１６】
前記情報処理装置は、前記動態情報取得処理によって、前記位置情報と、対応する時間情報と、対応する前記消費者の個人情報とに基づいて、前記動態情報を生成することを特徴とする請求項１１乃至１５のいずれか１に記載の消費者動態情報収集方法。
【請求項１７】
前記移動端末は、前記位置情報送信処理によって、前記位置情報と共に、少なくとも前記消費者の消費行動に関する付加情報を、前記情報処理装置へ送信することを特徴とする請求項１１乃至１６のいずれか１に記載の消費者動態情報収集方法。
【請求項１８】
前記情報処理装置は、前記動態情報取得処理によって、多数の前記消費者の蓄積された前記位置情報に基づいて、集計処理を含む所定の統計処理を行って、前記動態情報を生成することを特徴とする請求項１１乃至１７のいずれか１に記載の消費者動態情報収集方法。
【請求項１９】
前記情報処理装置は、前記報奨授与処理によって、前記移動端末が所定の区域内に位置している場合に、前記報奨としてのサービス情報を前記移動端末に供給することを特徴とする請求項１１乃至１８のいずれか１に記載の消費者動態情報収集方法。
【請求項２０】
前記情報処理装置は、前記報奨授与処理によって、サービス情報提供者から提供された前記サービス情報及び前記サービス情報提供者の広告情報を、所定の対価と引替えに、前記移動端末に供給することを特徴とする請求項１９記載の消費者動態情報収集方法。
【請求項２１】
コンピュータに請求項１１乃至２０のうちいずれか１に記載の消費者動態情報収集方法を実行させることを特徴とする消費者動態情報収集プログラム。
【発明の詳細な説明】
【技術分野】
【０００１】
この発明は、例えば市場調査に役立てるために、多数の消費者の位置情報をリアルタイムで取得して動態情報を生成する消費者動態情報収集システム、消費者動態情報収集方法及び消費者動態情報収集プログラムに関する。
【背景技術】
【０００２】
従来より、例えば企業が新たに店舗を開店したり、新規の商品を販売しようとする場合には、この企業は、まず、独自に市場調査等を行い、この調査結果を考慮して市場に受け入れられるか否か等を判断していた。
例えば、前もって、過去の自社の売上に関するデータを分析したり、新たにアンケート調査を行って、消費者の欲求や嗜好の傾向を把握したり、地域内の競合店の実態等を調査したりしていた。
【０００３】
しかしながら、こういった調査を行うためには、精度を上げようとするほどコストがかかる上に、結果を得るまでに相当な時間を費やし、短期間で結論を出すことが困難であるという問題があった。
ところで、近年、携帯電話機等の移動端末の普及によって、その位置情報を利用して、特定のエリア内の移動端末に広告情報を送信する技術（例えば、特許文献１参照。）や、移動端末の位置情報に基づき、ユーザの要望に合った店舗情報等を移動端末によって受信可能とする技術（例えば、特許文献２参照。）が提案されており、位置情報を収集して動態情報を得ることによって、特定のスポットやエリア内の混雑具合やその時間的変化を知り、市場調査等のために役立てることも考えられる。
【特許文献１】特開２００１−３５９１６６号公報
【特許文献２】特開２００２−５１３８３号公報
【発明の開示】
【発明が解決しようとする課題】
【０００４】
解決しようとする問題点は、上記従来技術を市場調査等のために利用しようとしても、消費者にとって、プライベート情報としての位置情報を、明確な目的がないまま提供するには、そのための充分な動機付けが得られず、消費者からの情報を広く収集することが困難であり、例えば市場調査等の精度を高めることができないという点である。
【課題を解決するための手段】
【０００５】
上記課題を解決するために、請求項１記載の発明は、複数の消費者が用いる複数の移動端末と、上記複数の消費者の動態情報を収集する動態情報収集者が用いる情報処理装置とがネットワークを介して接続されて構成された消費者動態情報収集システムに係り、上記移動端末は、ＧＰＳ衛星からの無線信号を受信するためのＧＰＳ信号受信手段と、上記無線信号に基づいて、上記移動端末の位置情報を取得する位置情報取得手段と、上記位置情報を上記ネットワークを介して上記情報処理装置に送信する位置情報送信手段とを有してなり、上記情報処理装置は、上記ネットワークを介して上記各移動端末から送信されてきた上記位置情報を取得し、消費者の動態情報を取得する動態情報取得手段と、上記位置情報の提供に対する報奨を上記消費者に与えるために用いる報奨授与処理手段とを有してなることを特徴としている。
【０００６】
また、請求項２記載の発明は、請求項１記載の消費者動態情報収集システムに係り、上記動態情報取得手段によって取得された上記動態情報は、所定の対価と引替えに情報受給者に提供されることを特徴としている。
【０００７】
また、請求項３記載の発明は、請求項１又は２記載の消費者動態情報収集システムに係り、上記報奨授与処理手段は、上記各移動端末から送信されてきた上記位置情報の上記動態情報の収集に対する寄与度に応じて上記報奨の内容を提示することを特徴としている。
【０００８】
また、請求項４記載の発明は、請求項１、２又は３記載の消費者動態情報収集システムに係り、上記報奨授与処理手段は、上記寄与度に応じて、所定の商品又はサービスの対価の一部又は全部に充当可能なサービスポイントを上記報奨として発行することを特徴としている。
【０００９】
また、請求項５記載の発明は、請求項３又は４記載の消費者動態情報収集システムに係り、上記報奨授与処理手段は、上記移動端末からの上記位置情報の受信頻度に応じて、提示する上記報奨の内容を決定することを特徴としている。
【００１０】
また、請求項６記載の発明は、請求項１乃至５のいずれか１に記載の消費者動態情報収集システムに係り、上記動態情報取得手段は、上記位置情報と、対応する時間情報と、対応する上記消費者の個人情報とに基づいて、上記動態情報を生成することを特徴としている。
【００１１】
また、請求項７記載の発明は、請求項１乃至６のいずれか１に記載の消費者動態情報収集システムに係り、上記移動端末は、上記位置情報と共に、少なくとも上記消費者の消費行動に関する付加情報を、上記動態情報取得手段へ送信することを特徴としている。
【００１２】
また、請求項８記載の発明は、請求項１乃至７のいずれか１に記載の消費者動態情報収集システムに係り、上記動態情報取得手段は、多数の上記消費者の蓄積された上記位置情報に基づいて、集計処理を含む所定の統計処理を行って、上記動態情報を生成することを特徴としている。
【００１３】
また、請求項９記載の発明は、請求項１乃至８のいずれか１に記載の消費者動態情報収集システムに係り、上記報奨授与処理手段は、上記移動端末が所定の区域内に位置している場合に、上記報奨としてのサービス情報を上記移動端末に供給することを特徴としている。
【００１４】
また、請求項１０記載の発明は、請求項９記載の消費者動態情報収集システムに係り、上記報奨授与処理手段は、サービス情報提供者から提供された上記サービス情報及び上記サービス情報提供者の広告情報を、所定の対価と引替えに、上記移動端末に供給することを特徴としている。
【００１５】
また、請求項１１記載の発明に係る消費者動態情報収集方法は、複数の消費者が用いる複数の移動端末と、上記複数の消費者の動態情報を収集する動態情報収集者が用いる情報処理装置とがネットワークを介して接続され、上記移動端末は、ＧＰＳ衛星からの無線信号を受信するためのＧＰＳ信号受信処理と、上記無線信号に基づいて、上記移動端末の位置情報を取得する位置情報取得処理と、上記位置情報を上記ネットワークを介して上記情報処理装置に送信する位置情報送信処理とを実行し、上記情報処理装置は、上記ネットワークを介して上記各移動端末から送信されてきた上記位置情報を取得し、消費者の動態情報を取得する動態情報取得処理と、上記位置情報の提供に対する報奨を上記消費者に与えるために用いる報奨授与処理とを実行することを特徴としている。
【００１６】
また、請求項１２記載の発明は、請求項１１記載の消費者動態情報収集方法に係り、上記動態情報取得処理によって取得された上記動態情報は、所定の対価と引替えに情報受給者に提供されることを特徴としている。
【００１７】
また、請求項１３記載の発明は、請求項１１又は１２記載の消費者動態情報収集方法に係り、上記情報処理装置は、上記報奨授与処理によって、上記各移動端末から送信されてきた上記位置情報の上記動態情報の収集に対する寄与度に応じて上記報奨の内容を提示することを特徴としている。
【００１８】
また、請求項１４記載の発明は、請求項１１、１２又は１３記載の消費者動態情報収集方法に係り、上記情報処理装置は、上記報奨授与処理によって、上記寄与度に応じて、所定の商品又はサービスの対価の一部又は全部に充当可能なサービスポイントを上記報奨として発行することを特徴としている。
【００１９】
また、請求項１５記載の発明は、請求項１３又は１４記載の消費者動態情報収集方法に係り、上記情報処理装置は、上記報奨授与処理によって、上記移動端末からの上記位置情報の受信頻度に応じて、提示する上記報奨の内容を決定することを特徴としている。
【００２０】
また、請求項１６記載の発明は、請求項１１乃至１５のいずれか１に記載の消費者動態情報収集方法に係り、上記情報処理装置は、上記動態情報取得処理によって、上記位置情報と、対応する時間情報と、対応する上記消費者の個人情報とに基づいて、上記動態情報を生成することを特徴としている。
【００２１】
また、請求項１７記載の発明は、請求項１１乃至１６のいずれか１に記載の消費者動態情報収集方法に係り、上記移動端末は、上記位置情報送信処理によって、上記位置情報と共に、少なくとも上記消費者の消費行動に関する付加情報を、上記情報処理装置へ送信することを特徴としている。
【００２２】
また、請求項１８記載の発明は、請求項１１乃至１７のいずれか１に記載の消費者動態情報収集方法に係り、上記情報処理装置は、上記動態情報取得処理によって、多数の上記消費者の蓄積された上記位置情報に基づいて、集計処理を含む所定の統計処理を行って、上記動態情報を生成することを特徴としている。
【００２３】
また、請求項１９記載の発明は、請求項１１乃至１８のいずれか１に記載の消費者動態情報収集方法に係り、上記情報処理装置は、上記報奨授与処理によって、上記移動端末が所定の区域内に位置している場合に、上記報奨としてのサービス情報を上記移動端末に供給することを特徴としている。
【００２４】
また、請求項２０記載の発明は、請求項１９記載の消費者動態情報収集方法に係り、上記情報処理装置は、上記報奨授与処理によって、サービス情報提供者から提供された上記サービス情報及び上記サービス情報提供者の広告情報を、所定の対価と引替えに、上記移動端末に供給することを特徴としている。
【００２５】
また、請求項２１記載の発明に係る消費者動態情報収集プログラムは、コンピュータに請求項１１乃至２０のうちいずれか１に記載の消費者動態情報収集方法を実行させることを特徴としている。
【発明の効果】
【００２６】
この発明の構成によれば、消費者は、位置情報を動態情報収集者に提供することによって報奨を得ることができる。このため、動態情報収集者にとっては、消費者から位置情報を広くかつ容易に集めることが期待できるので、低コストでかつ短時間で、動態情報取得手段によって、正確で精細な動態情報を確実に得てデータベースを構築することができる。したがって、例えば精度の高い市場調査を低コストでかつ短時間で行うことができる。
また、動態情報収集者にとっては、データベース化された動態情報を、所定の受給者に提供して対価を得ることができる。
また、動態情報を受給した受給者にとっては、動態情報を活用して、例えば経営戦略の立案等を効率的に行うことができる。
【００２７】
また、サービス情報提供者から提供されたサービス情報及びサービス情報提供者の広告情報を、移動端末に供給することによって、動態情報収集者にとっては、サービス情報提供者から手数料を得ることができ、サービス情報提供者にとっては、自身の商品やサービスの販売促進のために役立てることができると共に、広告情報を所定の区域内の移動端末に供給することによって、即時性が要求される広告情報の供給を、低コストでかつ効率的に行うことができる。
【発明を実施するための最良の形態】
【００２８】
消費者から位置情報を広くかつ容易に集め、低コストでかつ短時間で、正確で精細な動態情報を確実に得るという目的を実現した。
【実施例１】
【００２９】
図１及び図２は、この発明の実施例１である動態情報収集システムの構成を示すブロック図、図３は、同動態情報収集システムの携帯端末の構成を示すブロック図、図４は、同動態情報収集システムの情報管理センタの構成を示すブロック図、図５は、同情報管理センタの動態情報管理サーバの構成を示すブロック図、図６は、同情報管理センタの動態情報データベースサーバの記憶部に記憶された内容を説明するための説明図、図７は、同情報管理センタのポイント情報管理サーバの記憶部に記憶された内容を説明するための説明図、図８は、同情報管理センタの監視端末の構成を示すブロック図、図９は、同動態情報収集システムに係る通信管理センタの構成を示すブロック図、図１０は、同動態情報収集システムの動作を説明するための処理手順図、また、図１１は、同動態情報収集システムの動作を説明するための説明図である。
この例の動態情報収集システム（消費者動態情報収集システム）１は、図１及び図２に示すように、多数のユーザ（消費者）Ａ１，Ａ２，…，Ａｒが（但し、ｒは２以上の任意の自然数）が用いる携帯電話機等の携帯端末（移動端末）２１，２２，…，２ｒと、携帯端末２１，２２，…，２ｒとネットワーク３を介して接続され、情報収集事業者（動態情報収集者）Ｂが管理する情報管理センタ（情報処理装置）４と、情報管理センタ４とネットワーク３を介して接続され、商品取扱事業者Ｃが用いる商取引支援サーバ５とを備えてなっている。
【００３０】
各携帯端末２１（２２，２３，…，２ｒ）は、図３に示すように、制御部（位置情報取得手段）１１と、記憶部１２と、無線通信部（位置情報送信手段）１３と、ＧＰＳ（Global Positioning System）受信部（ＧＰＳ信号受信手段）１４と、操作部１５と、表示部１６と、送受話部１７とから概略構成されている。
制御部１１は、ＣＰＵ（中央処理装置）等からなり、通信制御プログラムや、地球的規模の位置測定システムであるＧＰＳ方式を利用して、複数のＧＰＳ衛星からの無線信号に基づいて、自己の位置情報を生成するための位置情報生成プログラム、所定の位置情報を送信するための位置情報送信プログラム、ホームページを閲覧するためのプログラムとしてのブラウザ、電子メールを作成したり送受信するためのプログラムとしてのメーラ等の記憶部１２に記憶された各種処理プログラムを実行し、携帯端末本体の構成各部を制御する。
【００３１】
制御部１１は、上記位置情報生成プログラムを実行して、ＧＰＳ受信部１４を介して受信した無線信号に基づいて、経度緯度情報等からなる位置情報を生成し、位置情報送信プログラムを実行して、この位置情報を、ユーザＡ１（Ａ２，Ａ３，…，Ａｒ）の操作によって予め設定された所定の周期で、無線通信部１３を介して、情報管理センタ４へ送信する。
ここで、ユーザＡ１（Ａ２，Ａ３，…，Ａｒ）の操作によって、予め所定の時間帯に位置情報の自動送信がなされるようにされていても良いし、ユーザＡ１（Ａ２，Ａ３，…，Ａｒ）の操作の度に、操作後一定時間自動送信がなされるようにされていても良い。
【００３２】
記憶部１２は、ＲＯＭ、ＲＡＭ等の半導体メモリからなり、制御部１１が実行する通信制御プログラムや、位置情報生成プログラム、ブラウザ、メーラ等の各種処理プログラムや、受信した情報等の各種情報等が記憶されると共に、制御部１１がプログラム実行時に用いる各種レジスタやフラグが確保されている。
無線通信部１３は、音声やデータを変調してアンテナ１３ａを介して無線電波としてネットワーク３を構成する最寄りの基地局４４１（４４２，４４３，…）へ送信すると共に、基地局４４１（４４２，４４３，…）から送信されてきた無線電波をアンテナ１３ａを介して受信して音声やデータに復調する。
また、ＧＰＳ受信部１４は、複数のＧＰＳ衛星からの無線信号をアンテナ１４ａを介して受信する。
【００３３】
また、操作部１５は、電子メールの作成や送受信を行うためのメールモード選択キー、音声通話を行うために用いる通話モード選択キー、ブラウザを起動させてホームページを閲覧するためのブラウザモード選択キー、撮影モード等から待受画面を表示して操作や着信を待機する待受モードへ移行させるためのクリアキー、電源キー、数字等を入力するためのテンキー、表示部１６に表示された表示画面上のカーソルを上下左右方向へ移動させるためのカーソルキー等が、筐体の正面に配置されてなっている。
表示部１６は、液晶ディスプレイ等からなり、例えば情報管理センタ４等から受け取った案内情報やメッセージ等を表示する。また、送受話部１７は、マイクロフォン及びスピーカを有してなっている。
【００３４】
情報管理センタ４は、図４に示すように、リアルタイムで位置情報を収集して、蓄積された位置情報等に基づいて所定の統計処理を行い、動態情報を生成する動態情報管理サーバ（動態情報取得手段、報奨授与処理手段）２１と、収集された位置情報及び対応する時間情報をユーザ毎に登録するための動態情報データベースサーバ２２と、ユーザ毎の個人情報を管理するユーザ情報管理サーバ２３と、ユーザ毎のポイント情報を管理するポイント情報管理サーバ２４と、ユーザに提供するための商品情報を管理する商品情報管理サーバ２５と、携帯端末２１（２２，２３，…，２ｒ）側から、送信された電子メールを一旦蓄積し管理するメールサーバ２６と、情報収集事業者Ｂの担当者によって操作される監視端末２７とを有してなっている。
【００３５】
動態情報管理サーバ２１は、図５に示すように、所定の制御プログラムに従って構成各部を制御する制御部２８と、制御部２８が実行する各種プログラム、各種データが記憶される記憶部２９と、所定のプロトコルに従ってデータ通信を行うための通信部３１とを有している。
制御部２８は、ＣＰＵ等からなり、記憶部２９に記憶された各種プログラムを実行して、動態情報管理サーバ２１の構成各部を制御して、会員募集情報提示処理や、ポイント加算判定処理、商品情報提示処理、商品授与判定処理、商品配送要求処理、動態情報生成処理等を行う。
【００３６】
記憶部２９は、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなっている。
記憶部２９には、会員募集情報提示プログラムや、ポイント加算判定プログラム、商品情報提示プログラム、商品授与判定プログラム、商品配送要求プログラム、動態情報生成プログラム等が記憶されている。
【００３７】
会員募集情報提示プログラムには、会員募集案内情報を生成し、情報収集事業者Ｂの営業活動のためにインターネット上に開設されたホームページにおいて提示するための手順が記述されている。
ポイント加算判定プログラムには、携帯端末２１（２２，２３，…，２ｒ）から送信されてくる位置情報の送信頻度に基づいて、所定の周期で、ユーザＡ１（Ａ２，Ａ３，…，Ａｒ）の現在の保有ポイント数に所定のポイント数を加算すべきか否か判断して、所定のポイント数を加算しても良いと判断した場合は加算し、ポイント情報管理サーバ２４に更新要求を行うための手順が記述されている。位置情報の送信頻度は、動態情報データベースサーバ２２に蓄積されている位置情報及び対応する時間情報に基づいて、算出される。
商品情報提示プログラムには、ホームページにネットワーク３を介してアクセスした携帯端末２１（２２，２３，…，２ｒ）から要求があった場合に、ユーザＡ１（Ａ２，Ａ３，…，Ａｒ）の保有ポイント数に対応し、このユーザＡ１（Ａ２，Ａ３，…，Ａｒ）の条件に適合した商品を、商品情報管理サーバ２５にアクセスして検索し、商品情報をホームページにおいて提示するための手順が記述されている。
【００３８】
商品授与判定プログラムには、携帯端末２１（２２，２３，…，２ｒ）から送られてきた商品要求情報に基づいて、ユーザＡ１（Ａ２，Ａ３，…，Ａｒ）の保有ポイント数や在庫状況等を勘案して、要求された商品を授与すべきか否か判定するための手順が記述されている。
商品配送要求プログラムには、所定の商品の授与を決定した場合に、携帯端末２１（２２，２３，…，２ｒ）から送られてきた配送先情報に基づいて、商取引支援サーバ５に対して配送処理要求を行うための手順が記述されている。
【００３９】
動態情報生成プログラムには、動態情報データベースサーバ２２に蓄積された位置情報及び対応する時間情報と、ユーザ情報管理サーバ２３に記憶されたユーザＡ１，Ａ２，…，Ａｒの個人情報とに基づいて、集計処理を含む所定の統計処理を行い、市場調査等に役立てる動態情報を生成するための手順が記述されている。
この例では、上記統計処理において、蓄積された位置情報に基づいて、ユーザＡ１，Ａ２，…，Ａｒの動態に関する傾向及びパターンを導出するデータマイニング処理を行う。また、生成した動態情報を所定の受給者に有償で提供する場合、必要に応じて、受給者の業務内容に応じて、個別に調整して動態情報を生成する。
【００４０】
動態情報データベースサーバ２２（ユーザ情報管理サーバ２３、ポイント情報管理サーバ２４、商品情報管理サーバ２５、メールサーバ２６）は、ハードウェア上の概略構成は上述した動態情報管理サーバ２１と同様であり、所定の制御プログラムに従って構成各部を制御する制御部と、各種プログラムやデータが記憶される記憶部と、所定のプロトコルに従ってデータ通信を行うための通信部とを有している。
動態情報データベースサーバ２２の記憶部３２には、図６に示すように、収集された位置情報及び対応する時間情報がユーザＡ１（Ａ２，Ａ３，…，Ａｒ）毎に、データベース化されて記憶されれている。
また、ユーザ情報管理サーバ２３の記憶部には、ユーザＡ１（Ａ２，Ａ３，…，Ａｒ）毎に、氏名、年齢、生年月日、性別、国籍、住所、職業、家族構成、趣味等の個人情報が記憶されている。
また、ポイント情報管理サーバ２４の記憶部３３には、図７に示すように、ユーザＡ１（Ａ２，Ａ３，…，Ａｒ）毎に、保有ポイント数が常に更新された状態で記憶されている。
【００４１】
監視端末２７は、例えば、パーソナルコンピュータからなり、図８に示すように、制御部３５と、記憶部３６と、通信部３７と、操作部３８と、表示部３９とを有してなっている。
制御部３５は、ＣＰＵ（中央処理装置）等を有してなり、記憶部３６に記憶された各種処理プログラムを実行し、監視端末本体の構成各部を制御する。
記憶部３６は、ＲＯＭ、ＲＡＭ等の半導体メモリや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、制御部２３が実行する各種プログラムや、各種情報等が記憶される。
操作部３８は、例えばキーボードやマウス等からなり、各種の指令や必要な情報の入力を行うために用いられる。
表示部３９は、ＣＲＴディスプレイや液晶ディスプレイ等からなり、文字や画像を表示するために用いられる。
【００４２】
ネットワーク３は、図２に示すように、移動通信事業者Ｄが管理する通信管理センタ４１を介して、インターネット４２に接続可能な移動通信網４３を有してなっている。
この例では、携帯端末２１（２２，２３，…，２ｒ）からの位置情報は、最寄の基地局４４１（４４２，４４３，…）を経由して、通信管理センタ４１へ向けて送信され、インターネット４２に接続された情報管理センタ４からの対応する会員募集情報や商品情報等は、通信管理センタ４１を経由して携帯端末２１（２２，２３，…，２ｒ）に供給される。
通信管理センタ４１は、図９に示すように、顧客情報等を管理する情報管理サーバ４５と、移動通信網４３を例えばインターネット４２に接続するための接続処理サーバ４６と、例えば携帯端末２１（２２，２３，…，２ｒ）から送信されてきた電子メールや携帯端末２１（２２，２３，…，２ｒ）へ送信された電子メールを蓄積し管理するメールサーバ４７とを有している。
【００４３】
情報管理サーバ４５（接続処理サーバ４６、メールサーバ４７）は、ハードウェア上の概略構成は上述した動態情報管理サーバ２１等と同様であり、所定の制御プログラムに従って構成各部を制御する制御部と、各種プログラムやデータが記憶される記憶部と、所定のプロトコルに従ってデータ通信を行うための通信部とを有している。
情報管理サーバ４５の記憶部には、携帯端末２１（２２，２３，…，２ｒ）の現在位置情報や、加入者番号、課金情報等が常時更新された状態で記憶されている。
また、商取引支援サーバ５は、所定の制御プログラムに従って構成各部を制御する制御部と、各種プログラムやデータが記憶される記憶部と、所定のプロトコルに従ってデータ通信を行うための通信部と、操作部と、表示部とを有してなっている。
【００４４】
次に、図１０及び図１１を参照して、上記構成の動態情報収集システム１の動作について説明する。
まず、前提として、ユーザＡ１，Ａ２，…，Ａｒは、情報収集事業者Ｂの会員となることによって、位置情報を提供する代わりに、蓄積された保有ポイント数に応じて、好みの商品の提供を受ける権利が与えられる契約を結んでいるものとする。各ユーザＡ１（Ａ２，Ａ３，…，Ａｒ）には、ユーザＩＤが与えられる。
なお、会員募集案内情報は、情報収集事業者Ｂの営業活動のためにインターネット上に開設されたホームページにおいて提示される。
【００４５】
携帯端末２１（２２，２３，…，２ｒ）では、制御部１１が、位置情報を、予め設定された所定の周期で、無線通信部１３を介して、情報管理センタ４へ送信する。
すなわち、制御部１１は、ＧＰＳ受信部１４を介して受信した無線信号に基づいて、経度緯度情報等からなる位置情報を生成すると（ステップＳＴ１１（図１０））、この位置情報を無線通信部１３を介して、図１１に示すように、情報管理センタ４へ送信する（ステップＳＴ１２）。位置情報は、例えば電子メールとして送信される。
情報管理センタ４では、動態情報管理サーバ２１がこの位置情報を、例えばメールサーバ２６を介して受け取ると、動態情報データベースサーバ２２へ転送して蓄積させる（ステップＳＴ１３）。
【００４６】
上記位置情報の生成・送信処理及び受信・蓄積処理は、多数回繰り返され、ステップＳＴ１４で、携帯端末２１（２２，２３，…，２ｒ）が、位置情報を生成して、ステップＳＴ１５で、情報管理センタ４へ送信し、ステップＳＴ１６で、情報管理センタ４が、この位置情報を受信し、蓄積すると、動態情報管理サーバ２１の制御部２８は、携帯端末２１（２２，２３，…，２ｒ）から送信されてくる位置情報の送信頻度に基づいて、ユーザＡ１（Ａ２，Ａ３，…，Ａｒ）の保有ポイント数にポイント数を加算すべきか否か判定する（ステップＳＴ１７）。
制御部２８は、ポイント数を加算すべきと判定すると、加算すべき所定のポイント数を決定し（ステップＳＴ１８）、ポイント情報管理サーバ２４に更新要求を行い、ポイント数を加算すべきではないと判定すると、例えばステップＳＴ２０へ進む。
【００４７】
ユーザＡ１（Ａ２，Ａ３，…，Ａｒ）が、商品の提供を受けたいと考えた場合は、携帯端末２１（２２，２３，…，２ｒ）から商品情報提示要求が行われる（ステップＳＴ１９）。
制御部２８は、ホームページにネットワーク３を介してアクセスした携帯端末２１（２２，２３，…，２ｒ）から商品情報提示要求を受けると、ユーザＡ１（Ａ２，Ａ３，…，Ａｒ）の保有ポイント数に対応し、このユーザＡ１（Ａ２，Ａ３，…，Ａｒ）の条件に適合した商品を、商品情報管理サーバ２５にアクセスして検索し、商品情報をホームページにおいて提示する（ステップＳＴ２０）。
【００４８】
ユーザＡ１（Ａ２，Ａ３，…，Ａｒ）が商品情報を閲覧して、所望の商品を選択すると、携帯端末２１（２２，２３，…，２ｒ）からは、情報管理センタ４へ商品選択情報が送信される（ステップＳＴ２１）。
情報管理センタ４では、携帯端末２１（２２，２３，…，２ｒ）から送られてきた商品選択情報に基づいて、動態情報管理サーバ２１の制御部２８は、ユーザＡ１（Ａ２，Ａ３，…，Ａｒ）の保有ポイント数や在庫状況等を勘案して、要求された商品を授与すべきか否か判定する（ステップＳＴ２２）。
【００４９】
制御部２８は、要求された商品を授与できないと判定した場合は、現在の保有ポイント数を通知し（ステップＳＴ２３）、要求された商品の授与が可能であると判定した場合は、携帯端末２１（２２，２３，…，２ｒ）から送られてきた配送先情報に基づいて、商取引支援サーバ５に対して配送処理要求を行う（ステップＳＴ２４）。
商取引支援サーバ５は、配送処理要求を受信すると（ステップＳＴ２５）、商品配送処理を行う（ステップＳＴ２６）。これによって、ユーザＡ１（Ａ２，Ａ３，…，Ａｒ）が指定した配送先（例えば、ユーザＡ１（Ａ２，Ａ３，…，Ａｒ）の自宅）４８へ所定の商品が配送される。
【００５０】
ユーザＡ１（Ａ２，Ａ３，…，Ａｒ）が商品受領すると、携帯端末２１（２２，２３，…，２ｒ）からは、ユーザＡ１（Ａ２，Ａ３，…，Ａｒ）の操作によって、商品受領通知が情報管理センタ４が送信される（ステップＳＴ２７）。
情報管理センタ４では、動態情報管理サーバ２１の制御部２８は、ポイント数の減数処理を行って（ステップＳＴ２８）、ポイント情報管理サーバ２４に更新要求を行う。
【００５１】
動態情報管理サーバ２１の制御部２８は、動態情報データベースサーバ２２に蓄積された位置情報及び対応する時間情報と、ユーザ情報管理サーバ２３に記憶されたユーザＡ１，Ａ２，…，Ａｒの個人情報とに基づいて、集計処理を含む所定の統計処理を行い、さらに必要に応じて図表化処理を行い、市場調査等に役立てる動態情報を生成する（ステップＳＴ２９）。
ここで、上記統計処理において、蓄積された位置情報に基づいて、ユーザＡ１，Ａ２，…，Ａｒの動態に関する傾向及びパターンを導出するデータマイニング処理を行う。また、生成した動態情報を所定の受給者に有償で提供する場合、必要に応じて、受給者の業務内容に応じて、個別に調整して動態情報を生成する。
【００５２】
このように、この例の構成によれば、ユーザＡ１，Ａ２，…，Ａｒは、位置情報の提供に対する報奨としての商品を、保有ポイント数に応じて、すなわち、位置情報の送信頻度に応じて得ることができる。
このため、情報収集事業者Ｂにとっては、多数のユーザＡ１，Ａ２，…，Ａｒから位置情報を広くかつ容易に集めることが期待できるので、低コストでかつ短時間で、正確で精細な動態情報を確実に得てデータベースを構築することができる。したがって、例えば精度の高い市場調査を低コストでかつ短時間で行うことができる。
また、情報収集事業者Ｂにとっては、データベース化された動態情報を、所定の受給者に提供して対価を得ることができる。
また、動態情報を受給した受給者にとっては、動態情報を活用して、宣伝・集客のための具体的方法を含む経営戦略の立案等を効率的に行うことができる。
【実施例２】
【００５３】
図１２は、この発明の実施例２である動態情報収集システムの構成を示すブロック図、図１３は、同動態情報収集システムの情報管理センタの構成を示すブロック図、図１４は、同情報管理センタの動態情報管理サーバの記憶部に記憶された内容を説明するための説明図、図１５は、同動態情報収集システムの動作を説明するための処理手順図、また、図１６は、同動態情報収集システムの動作を説明するための説明図である。
この例が上述した実施例１と大きく異なるところは、位置情報提供者としてのユーザに情報収集事業者を介してサービス提供事業者からのサービスを提供する点、サービス提供事業者の広告情報を位置情報提供者に配信する点、サービス提供範囲を限定する点、及びポイント制を廃した点である。
これ以外の構成は、上述した実施例１の構成と略同一であるので、その説明を簡略にする。
【００５４】
この例の動態情報収集システム（消費者動態情報収集システム）１は、図１２に示すように、多数のユーザ（消費者）Ａ１，Ａ２，…，Ａｒが用いる携帯電話機等の携帯端末（移動端末）２１，２２，…，２ｒと、携帯端末２１，２２，…，２ｒとネットワーク３を介して接続され、情報収集事業者（動態情報収集者）Ｂが管理する情報管理センタ（情報処理装置）５１と、情報管理センタ５１とネットワーク３を介して接続され、サービス提供事業者Ｅ１，Ｅ２，…，Ｅｓ（但し、ｓは２以上の任意の自然数）が用いる商取引支援サーバ５２１，５２２，…，５２ｓとを備えてなっている。
【００５５】
情報管理センタ５１は、図１３に示すように、動態情報管理サーバ５３と、動態情報データベースサーバ５４と、情報収集事業者Ｂの会員としてのユーザＡ１（Ａ２，Ａ３，…，Ａｒ）及びサービス提供事業者Ｅ１（Ｅ２，Ｅ３…，Ｅｓ）に関する情報を管理する会員情報管理サーバ５５と、メールサーバ５６と、監視端末５７とを有してなっている。
動態情報管理サーバ５３（動態情報データベースサーバ５４、会員情報管理サーバ５５、メールサーバ５６）は、ハードウェア上の概略構成は上述した動態情報管理サーバ２１と同様であり、所定の制御プログラムに従って構成各部を制御する制御部と、各種プログラムやデータが記憶される記憶部と、所定のプロトコルに従ってデータ通信を行うための通信部とを有している。
【００５６】
動態情報管理サーバ５３の記憶部のプログラム記憶領域には、会員募集情報提示プログラムや、サービスリスト提示プログラム、登録状況判定プログラム、エリア判定プログラム、動態情報生成プログラム等が記憶されている。
サービスリスト提示プログラムには、ホームページにネットワーク３を介してアクセスした携帯端末２１（２２，２３，…，２ｒ）から要求があった場合に、ユーザＡ１（Ａ２，Ａ３，…，Ａｒ）が携帯端末２１（２２，２３，…，２ｒ）の位置を含むエリアで、サービス提供事業者Ｅ１（Ｅ２，Ｅ３…，Ｅｓ）から提供可能なサービスの内容を、ホームページにおいて提示するための手順が記述されている。
【００５７】
登録状況判定プログラムには、携帯端末２１（２２，２３，…，２ｒ）から送信されてくる位置情報の送信頻度に基づいて、ユーザＡ１（Ａ２，Ａ３，…，Ａｒ）が、サービスの利用が可能であるか否かを判定するための手順が記述されている。
すなわち、式（１）で与えられるれる受信頻度Ｓが、最低許容頻度Ｓ０以上（Ｓ≧Ｓ０）である場合には、ユーザＡ１（Ａ２，Ａ３，…，Ａｒ）が所定のサービスの受給が可能であるとして登録される。
【００５８】
（数１）
Ｓ＝Ｎ／Ｔ                                                          …（１）
【００５９】
但し、Ｔは、所定の期間、Ｎは、位置情報の受信回数である。
また、エリア判定プログラムには、所定のエリア限定のサービスが選択された場合に、携帯端末２１（２２，２３，…，２ｒ）の位置が、上記エリア内にあるか否かを判定するための手順が記述されている。
【００６０】
また、動態情報管理サーバ５３の記憶部のプログラム記憶領域５８は、登録状況判定プログラムが記憶された登録状況判定プログラム記憶領域５８ａと、エリア判定プログラムが記憶されたエリア判定プログラム記憶領域５８ｂとを有している（図１６参照）。
また、動態情報管理サーバ５３の記憶部の情報記憶領域５９は、図１４に示すように、ユーザＡ１（Ａ２，Ａ３，…，Ａｒ）毎に、サービスの利用が可能であるか否かを示す登録状況情報が記憶される登録状況情報記憶領域５９ａと、各サービス提供事業者Ｅ１（Ｅ２，Ｅ３，…，Ｅｓ）が提供するサービス内容と、サービスが提供可能なエリアとが記憶されたエリア情報記憶領域５９ｂとを有している。
【００６１】
次に、図１５及び図１６を参照して、上記構成の動態情報収集システム１Ａの動作について説明する。
まず、前提として、ユーザＡ１，Ａ２，…，Ａｒは、情報収集事業者Ｂの会員となることによって、位置情報を提供する代わりに、蓄積された保有ポイント数に応じて、好みの商品の提供を受ける権利が与えられる契約を結んでいるものとする。また、サービス提供事業者Ｅ１，Ｅ２，…，Ｅｓは、情報収集事業者Ｂの会員となり、所定の手数料を情報収集事業者Ｂに支払うことによって、例えば所定のエリア内の携帯端末２１，２２，…，２ｒにユーザＡ１，Ａ２，…，Ａｒが求めるサービス情報とともに、広告情報の配信を行う権利が与えられる契約を結んでいるものとする。
なお、この例では、サービス提供事業者Ｅ１，Ｅ２，…，Ｅｓによって提供されるサービス情報は、例えば著作物としての音楽情報、映像情報及び文字情報の配信のほか、施設や店舗における割引サービス情報（クーポン情報等）の送信等を含む。
【００６２】
携帯端末２１（２２，２３，…，２ｒ）では、図１６に示すように、制御部１１が、位置情報を、予め設定された所定の周期で、無線通信部１３を介して、情報管理センタ５１へ送信する。
すなわち、制御部１１は、ＧＰＳ受信部１４を介して受信した無線信号に基づいて、経度緯度情報等からなる位置情報を生成すると（ステップＳＴ４１（図１５））、この位置情報を無線通信部１３を介して、情報管理センタ５１へ送信する（ステップＳＴ４２）。位置情報は、例えば電子メールとして送信される。
情報管理センタ５１では、動態情報管理サーバ５３がこの位置情報を、例えばメールサーバ５６を介して受け取ると、動態情報データベースサーバ５４へ転送して蓄積させる（ステップＳＴ４３）。
【００６３】
上記位置情報の生成・送信処理及び受信・蓄積処理は、多数回繰り返され、ステップＳＴ４４で、携帯端末２１（２２，２３，…，２ｒ）が、位置情報を生成して、ステップＳＴ４５で、情報管理センタ４へ送信し、ステップＳＴ４６で、情報管理センタ５１が、この位置情報を受信し、蓄積する。
ユーザＡ１（Ａ２，Ａ３，…，Ａｒ）が、受給可能なサービスの内容を入手したい考えた場合は、携帯端末２１（２２，２３，…，２ｒ）からサービススリスト要求が行われる（ステップＳＴ４７）。ここで、位置情報も共に送信される。なお、受けたいサービスが決まっている場合には、ステップＳＴ４９へ進む。
【００６４】
動態情報管理サーバ５３の制御部は、ホームページにネットワーク３を介してアクセスした携帯端末２１（２２，２３，…，２ｒ）からサービススリスト要求を受けると、ユーザＡ１（Ａ２，Ａ３，…，Ａｒ）が携帯端末２１（２２，２３，…，２ｒ）の位置を含むエリアで、サービス提供事業者Ｅ１（Ｅ２，Ｅ３…，Ｅｓ）から提供可能なサービスの内容を、ホームページにおいて提示する（ステップＳＴ４８）。
ユーザＡ１（Ａ２，Ａ３，…，Ａｒ）がサービススリストを閲覧して、所望のサービスを選択すると、携帯端末２１（２２，２３，…，２ｒ）からは、情報管理センタ５１へサービス選択情報が位置情報と共に送信される（ステップＳＴ４９）。
【００６５】
情報管理センタ５１では、携帯端末２１（２２，２３，…，２ｒ）から送られてきたサービス選択情報に基づいて、動態情報管理サーバ５３の制御部は、携帯端末２１（２２，２３，…，２ｒ）から送信されてくる位置情報の送信頻度に基づいて、ユーザＡ１（Ａ２，Ａ３，…，Ａｒ）が、サービスの利用が可能であるか否かを判定する（ステップＳＴ５０）。
動態情報管理サーバ５３の制御部は、サービスの利用が可能でないと判定すると、エラー通知を携帯端末２１（２２，２３，…，２ｒ）へ送信し（ステップＳＴ５１）、サービスの利用が可能であると判定すると、ステップＳＴ５２へ進む。すなわち、受信頻度Ｓが、最低許容頻度Ｓ０以上（Ｓ≧Ｓ０）である場合には、ユーザＡ１（Ａ２，Ａ３，…，Ａｒ）が所定のサービスの受給が可能であるとして登録される。
【００６６】
ステップＳＴ５２では、動態情報管理サーバ５３の制御部は、所定のエリア限定のサービスが選択された場合に、携帯端末２１（２２，２３，…，２ｒ）の位置が、上記エリア内にあるか否かを判定する（ステップＳＴ５２）。
動態情報管理サーバ５３の制御部は、エリア内にないと判定すると、エラー通知を携帯端末２１（２２，２３，…，２ｒ）へ送信し（ステップＳＴ５３）、エリア内にあると判定すると、商取引支援サーバ５２１（５２２，５２３…，５２ｓ）に対して、所定のサービス処理の要求を行う（ステップＳＴ５４）。
【００６７】
商取引支援サーバ５２１（５２２，５２３…，５２ｓ）は、サービス処理要求を受け取ると、所定のサービス情報を、広告情報とともに、情報管理センタ５１を介して、又は直接携帯端末２１（２２，２３，…，２ｒ）へ配信する（ステップＳＴ５５）。
これによって、携帯端末２１（２２，２３，…，２ｒ）は、ユーザＡ１（Ａ２，Ａ３，…，Ａｒ）が望む所定のサービス情報を、広告情報とともに受信する（ステップＳＴ５６）。
情報管理センタ５１では、動態情報管理サーバ５３の制御部は、動態情報データベースサーバ５４に蓄積された位置情報及び対応する時間情報と、会員情報管理サーバ５５に記憶されたユーザＡ１，Ａ２，…，Ａｒの個人情報とに基づいて、集計処理を含む所定の統計処理を行い、市場調査等に役立てる動態情報を生成する（ステップＳＴ５７）。
【００６８】
ここで、上記統計処理において、蓄積された位置情報に基づいて、ユーザＡ１，Ａ２，…，Ａｒの動態に関する傾向及びパターンを導出するデータマイニング処理を行う。また、生成した動態情報を所定の受給者（サービス提供事業者Ｅ１，Ｅ２，…，Ｅｓを含む）に有償で提供する場合、必要に応じて、受給者の業務内容に応じて、個別に調整して動態情報を生成する。
【００６９】
この例の構成によれば、上述した実施例１と略同一の効果を得ることができる。
加えて、ユーザＡ１，Ａ２，…，Ａｒにとっては、情報収集事業者Ｂが提供するサービスのほかに、サービス提供事業者Ｅ１，Ｅ２，…，Ｅｓが提供し、サービスエリアが特定されたサービスを享受することができる。
また、情報収集事業者Ｂにとっては、サービス提供事業者Ｅ１，Ｅ２，…，Ｅｓのための広告情報を配信することによって、サービス提供事業者Ｅ１，Ｅ２，…，Ｅｓから手数料を得ることができる。
また、サービス提供事業者Ｅ１，Ｅ２，…，Ｅｓにとっては、ユーザＡ１，Ａ２，…，Ａｒにサービス情報に付加して広告情報を送信することができるので、自社の商品やサービスの販売促進のために役立てることができる。
しかも、広告情報を、所定のエリア内の携帯端末２１，２２，…，２ｒに配信することによって、サービス提供事業者Ｅ１（Ｅ２，Ｅ３，…，Ｅｓ）は、即時性が要求される広告情報の配信を、低コストでかつ効率的に行うことができる。すなわち、集客力の増加を期待することができる。さらに、単一のサービス提供事業者Ｅ１（Ｅ２，Ｅ３，…，Ｅｓ）だけでなく、所定のエリア内の集客力の増加を期待することができる。
【００７０】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、生成した動態情報を所定の受給者に有償で提供する場合について述べたが、情報収集事業者自身が用いても良い。
また、統計処理を施して動態情報を生成する場合について述べたが、取得した位置情報を、そのまま所定の受給者に提供するようにしても良い。
【００７１】
また、商取引支援サーバ５（５２１，５２２，…，５２ｓ）は、ネットワーク３に属さない専用の通信経路を介して情報管理センタ４（５１）に接続するようにしても良い。
また、携帯端末から位置情報を送信する場合に、電子メールに代えて、例えばＳＭＳ（Short Message Service）を用いるようにしても良い。
また、情報管理センタ４（５１）から位置情報の送信要求を受けた場合に、携帯端末から位置情報を送信するように構成しても良い。
また、例えば商品情報をホームページにおいて提示する場合について述べたが、電子メールで携帯端末２１（２２，２３，…，２ｒ）に通知しても良い。
【００７２】
また、実施例１では、ユーザＡ１（Ａ２，Ａ３，…，Ａｒ）に対して保有ポイント数の範囲内で所定の商品を提供する場合について述べたが、所定のサービスを提供するようにしても良いし、例えば通信料の割引サービスを行うようにしても良い。
また、実施例１では、商品の受取人（配送先）をユーザ自身とする場合について述べたが、もちろん、受取人をユーザ以外の者としても良い。また、商品を受け取る権利を有するユーザが、受取人をユーザ以外の者とした場合に、報奨としてポイントを加算して次回以降使用可としても良いし、この場合、受取人の数が多いほど報奨としてポイントを割増するようにしても良い。
【００７３】
また、ユーザが、他のユーザに位置情報の提供を促した場合に、報奨としてサービスポイントを加算するようにしても良い。
ユーザに授与されたサービスポイントの総計が所定のポイントに達した場合には、充当可能な商品又はサービスの内容を報知するようにしても良い。
また、位置情報と共に、ユーザの同行者の少なくとも消費行動に関する情報も、例えばアンケートに回答する形式で送信するようにしても良い。
【００７４】
また、実施例２で、商取引支援サーバ５２１（５２２，５２３…，５２ｓ）が、サービス処理要求を受け取った場合に、所定のサービス情報を、広告情報とともに、情報管理センタ５１を介して、又は直接携帯端末２１（２２，２３，…，２ｒ）へ配信する場合について述べたが、予め商取引支援サーバ５２１（５２２，５２３…，５２ｓ）から送信されたサービス情報及び広告情報を、情報管理センタ５１の例えば動態情報管理サーバに蓄積しておいて、携帯端末２１（２２，２３，…，２ｒ）からの要求に応じて、携帯端末２１（２２，２３，…，２ｒ）に配信するように構成しても良い。
また、実施例２においても、ポイント制を採用するようにしても良い。
【産業上の利用可能性】
【００７５】
移動端末として、携帯電話機やＰＨＳのほかに、カーナビゲーション装置等の車載端末に無線通信機能を付加したものを用いることができる。
【図面の簡単な説明】
【００７６】
【図１】この発明の実施例１である動態情報収集システムの構成を示すブロック図である。
【図２】同動態情報収集システムの構成を示すブロック図である。
【図３】同動態情報収集システムの携帯端末の構成を示すブロック図である。
【図４】同動態情報収集システムの情報管理センタの構成を示すブロック図である。
【図５】同情報管理センタの動態情報管理サーバの構成を示すブロック図である。
【図６】同情報管理センタの動態情報データベースサーバの記憶部に記憶された内容を説明するための説明図である。
【図７】同情報管理センタのポイント情報管理サーバの記憶部に記憶された内容を説明するための説明図である。
【図８】同情報管理センタの監視端末の構成を示すブロック図である。
【図９】同動態情報収集システムに係る通信管理センタの構成を示すブロック図である。
【図１０】同動態情報収集システムの動作を説明するための処理手順図である。
【図１１】同動態情報収集システムの動作を説明するための説明図である。
【図１２】この発明の実施例２である動態情報収集システムの構成を示すブロック図である。
【図１３】同動態情報収集システムの情報管理センタの構成を示すブロック図である。
【図１４】同情報管理センタの動態情報管理サーバの記憶部に記憶された内容を説明するための説明図である。
【図１５】同動態情報収集システムの動作を説明するための処理手順図である。
【図１６】同動態情報収集システムの動作を説明するための説明図である。
【符号の説明】
【００７７】
１，１Ａ      動態情報収集システム（消費者動態情報収集システム）
２１，２２，…      携帯端末（移動端末）
３ ネットワーク
４      情報管理センタ（情報処理装置）
１１      制御部（位置情報取得手段）
１３      無線通信部（位置情報送信手段）
１４      ＧＰＳ受信部（ＧＰＳ信号受信手段）
２１      動態情報管理サーバ（動態情報取得手段、報奨授与処理手段）
Ａ１，Ａ２，…     ユーザ（消費者）
【図１】
2005070920.tif 000003
【図２】
2005070920.tif 000004
【図３】
2005070920.tif 000005
【図４】
2005070920.tif 000006
【図５】
2005070920.tif 000007
【図６】
2005070920.tif 000008
【図７】
2005070920.tif 000009
【図８】
2005070920.tif 000010
【図９】
2005070920.tif 000011
【図１０】
2005070920.tif 000012
【図１１】
2005070920.tif 000013
【図１２】
2005070920.tif 000014
【図１３】
2005070920.tif 000015
【図１４】
2005070920.tif 000016
【図１５】
2005070920.tif 000017
【図１６】
2005070920.tif 000018